(57)【要約】二面表示可能は表示の駆動が、ミラーリング処理のスイッチング回路により実行される。同時（全体的又は部分的）表示のための技術が又提供される。
2005520193.tif 000002
【特許請求の範囲】
【請求項１】
対向する２つの面から見ることができる表示装置であって：
画素を規定するために電極を備える少なくとも第１基板；
を有し、
駆動の第１モードにおいて画素の行を選択するための駆動選択手段であって、駆動の前記第１モードにおいて前記第１基板に対して略垂直である第１方向から表示を見ることができる、駆動選択手段；
駆動の第２モードにおいて画素の行を選択するための駆動手段であって、駆動の第２モードにおいて前記第１方向に対して反対の第２方向から表示をみることができる、駆動手段；
を更に有し、
データを供給するための手段；及び
書き込まれる画素のコンテンツのためのデータを表示選択のミラーリングラインに関してミラーリング処理するための駆動手段
を更に有することを特徴とする表示装置。
【請求項２】
請求項１に記載の表示装置であって、前記ミラーリングラインは、画素の列又はラインと実質的に一致する、ことを特徴とする表示装置。
【請求項３】
請求項１に記載の表示装置であって、前記ミラーリングラインは２つの列と２つの画素の２つのラインとの間に位置される、ことを特徴とする表示装置。
【請求項４】
請求項２又は３に記載の表示装置であって、ｋ個の列を有する、表示部をミラーリング処理するための駆動手段は、画素（ｉ，ｊ）のコンテンツと画素（ｉ，ｋ−ｊ）のコンテンツとを置き換えるための手段を有し、ｉは前記表示部の行数である、ことを特徴とする表示装置。
【請求項５】
請求項４に記載の表示装置であって、ｋ個の列の２つは、画素の列ｊと画素の前記列ｊにデータを供給するための前記手段との間の第１種類のスイッチ、及び、列（ｋ−ｊ）と画素の列ｊにデータを供給するための前記手段との間の第２種類のスイッチ、を有する、ことを特徴とする表示装置。
【請求項６】
請求項５に記載の表示装置であって、前記第１種類のスイッチ及び前記第２種類のスイッチは相補的なトランジスタであり、ミラーリング処理の駆動手段は前記相補的トランジスタのための共通の可能化手段を有する、ことを特徴とする表示装置。
【請求項７】
請求項５に記載の表示装置であって、ミラーリング処理のための駆動手段は、前記第１種類のスイッチ及び前記第２種類のスイッチのための相補的可能化手段を有する、ことを特徴とする表示装置。
【請求項８】
請求項２又は３に記載の表示装置であって、ｋ個の行を有する表示部をミラーリング処理するための前記駆動手段は、画素（ｉ，ｊ）のコンテンツと画素（ｋ−ｉ，ｊ）のコンテンツとを置き換えるための手段を有し、ｊは前記表示部の列数である、ことを特徴とする表示装置。
【請求項９】
請求項８に記載の表示装置であって、ｋ個の行の２つは、画素の行ｊと画素の前記行ｊを選択するための前記手段との間に第１種類のスイッチを、及び、前記行（ｋ−ｊ）と画素の前記行を選択するための前記手段との間に第２種類のスイッチを、設ける、ことを特徴とする表示装置。
【請求項１０】
請求項９に記載の表示装置であって、前記第１種類のスイッチ及び前記第２種類のスイッチは相補的なトランジスタであり、ミラーリング処理の駆動手段は前記相補的トランジスタのための共通の可能化手段を有する、ことを特徴とする表示装置。
【請求項１１】
請求項９に記載の表示装置であって、ミラーリング処理のための駆動手段は、前記第１種類のスイッチ及び前記第２種類のスイッチのための相補的可能化手段を有する、ことを特徴とする表示装置。
【請求項１２】
請求項１に記載の表示装置であって、前記画素は副画素に分割され、ミラーリング処理のための分割手段は副画素の１種類をミラーリング処理する、ことを特徴とする表示装置。
【請求項１３】
請求項１２に記載の表示装置であって、駆動の前記第１モードと前記第２モードとは実質的に同時に実行される、ことを特徴とする表示装置。
【請求項１４】
請求項１２に記載の表示装置であって、表示に対して実質的に垂直方向において見て、前記表示の異なる面における異なる副画素は吸収層又は反射層を有する、ことを特徴とする表示装置。
【請求項１５】
請求項１に記載の表示装置であって、画素要素はエレクトロルミネッセンスダイオードを有する、ことを特徴とする表示装置。
【発明の詳細な説明】
【技術分野】
【０００１】
本発明は、２つの対向する面から見ることができる表示装置であって、画素を規定するために電極を設けた少なくとも第１基板を有し、駆動の第１モードにおいて画素の行を選択するための駆動選択手段であって、表示は、駆動の前記第１モードにおいて前記第１基板に対して略垂直である第１方向から表示を見ることができる、駆動選択手段、及び、駆動の第２モードにおいて画素の行を選択するための駆動手段であって、駆動の第２モードにおいて前記第１方向に反対の第２方向から表示をみることができる、駆動手段、を更に有する、表示装置に関する。
【背景技術】
【０００２】
そのようなアクティブマトリクス表示装置の例は、ＴＦＴ−ＬＣＤ又はＡＭ−ＬＣＤであり、ラップトップコンピュータ及び情報端末において用いられ、ＧＳＭ電話における著しく広い用途が見出されている。ＬＣＤに代えて、例えば、（有機）ＬＥＤ表示装置は又用いられることが可能であり、又は、電気泳動表示、ミラー表示のような他の効果に基づく表示を用いることが可能である。
【０００３】
データを反対面から見ることができる電子機器については、例えば、ラップトップコンピュータ及び情報端末ばかりでなく、キャッシュレジスタにおいても、益々拡大する支持が認められている。
【０００４】
今日まで用いられてきた装置においては、一般に、２つの表示スクリーンであって、各々の見る方向に対して１つの表示スクリーンが使用され、非常にコストが掛かる。単一の表示層（駆動電極を備える電気光学層）が実現される場合、そのような表示（両方の面において（映像）情報を表示する表示）は、２つの面の一方の面において、読み取られるべきミラーデータを常に必要とし、所謂、ミラーリング又は反転の問題がある。反転機能は、データ処理により、画素データをミラーリング処理された（反転された）画素データに置き換える表示制御器において実施されることができる。これは、この特別な機能に伴って、付加的なエレクトロニクス（ＩＣ又はＩＣの機能技術）を必要とし、特に、更に動作に負担が掛かり、それ故、更に電力を必要とする。
【発明の開示】
【発明が解決しようとする課題】
【０００５】
本発明の１つの目的は、このような問題点に対する解決方法を提供することである。
【課題を解決するための手段】
【０００６】
この目的のために、本発明の装置に従った表示装置は、データを供給するための手段と、書き込まれるべき画素のコンテンツのためのデータを、表示選択のミラーリングラインに関してミラーリング処理するための駆動手段と、を有する。
【０００７】
反転機能は、ここでは、表示装置において実施されるため、特別のドライバを必要としない。ミラーリングラインは、画素の列又はラインと略一致することが可能であり、又は、画素の２つの列又は２つのライン間に位置されることが可能である。
【０００８】
好適な実施形態において、ｋ個の列を有する、表示部におけるミラーリング処理のための駆動手段は、画素（ｉ，ｊ）のコンテンツと画素（ｉ，ｋ−ｊ）のコンテンツを置き換えるための手段を有し、ｉは表示部を駆動する表示の行数である。これは、列方向に関するミラーリング処理を表している。同様に、行方向に関するミラーリング処理が可能である。
【発明を実施するための最良の形態】
【０００９】
図面は概略図であって、スケーリングして描かれてはいない。対応する要素は、一般に、同じ参照番号により表されている。
【００１０】
図１は、本発明が適用された表示装置１の一部の電気等価回路図である。表示装置１は、行又は選択電極７と列又はデータ電極６の交点の領域により規定される画素８のマトリクスを有する。行電極は、行ドライバ４により連続的に選択される一方、列電極はデータレジスタ５によりデータを供給される。この目的のために、入力データ２が、処理器３において、必要に応じて、先ず、処理される。行ドライバ４とデータレジスタ５との間の相互同期は、駆動ライン９によりなされる。
【００１１】
図２は、ガラス基板１２における発光画素８の断面図である。発行層１０は、透明な行又は選択電極７と透明な列又はデータ電極６との間に設けられている。この例における透明電極はＩＴＯ電極である。この例における発光層は、例えば、ポリフェニレンビニレン即ちＰＰＶ及びポリエチレンジオキシチオフェン（ＰＥＤＯＴ）から成る副層１０ａ、１０ｂを有する。画素間リークを回避するために、電極は、絶縁層１３により互いに分離されている。透明な陰極及び陽極を用いることにより、透明陰極７を透過する発光層から一方側における発光１１、及び、基板１２（例えば、ガラス）と透明陽極６（通常、ＩＴＯ）を透過する発光層から他方側における発光１１´が可能である。
【００１２】
この例においては、表示それ自体が十分又は部分的に透過して現れるという事実のために、両面におけるコントラストは悪い。上記のように、このアプリケーションは、２面表示における駆動の問題を扱う、即ち、映像情報は一方の面において正確であり、他方の面においてミラーリング処理されるため、この問題点に対する解決方法について、ここでは詳細に説明しない。
【００１３】
図３において規定されるミラーリング変換の結果として、“背面”観測者により視認される、表示において書き込まれた画像は、“前面”観測者により視認される画像と異なる。数学的には、それは、中央の垂直ラインと一致する軸を伴うパリティである。列の指数ｍ／２を有する画素全てはミラーリング処理されない一方、左側の画素は、同じ行における画素であって、中央ラインから等距離にある右側における画素に変換され、その逆も成立する。
【００１４】
この機能の反転が表示における画像に適用されるとき、背面表示は、もはや、ミラーリング処理されたものではなく、それ故、表示は正確である。この機能は又、“反転”と呼ばれる。この反転機能は、データ処理により画素（ｉ，ｊ）を画素（ｉ，ｍ−ｊ）に置き換えられる表示制御器において実行されることができる。しかし、その機能は、この特別な機能を有するチップを必要とし、特に、そのチップは更なる動作を、即ち、更なる電力を用いる。
【００１５】
本発明に従って、反転機能の統合が表示において実現される。この目的のために、表示装置（列ドライバ５）は、“通常表示”（ＥＮ＝０）と“反転表示”（ＥＮ＝１）とを可能にするスイッチ部１５（図１、４）を有する。このスイッチに対しては、異なる実現化方法が可能である。例えば、（携帯電話の）表示が開状態又は閉状態のどちらかであることを決定する、圧力センサ又はフォトダイオードを用いて、どちらが好ましい表示であるかを規定するセンサへの接続により、どちらの表示を可能にするかが又、初期設定される。
【実施例１】
【００１６】
図５は、アクティブマトリクス技術（例えば、多結晶シリコン技術）により表示基板において又は駆動回路において集積されることが可能である、本発明の第１実施形態を示している。スイッチングユニット（列の上部の一方側）は、対の列毎に４つのＭＯＳトランジスタを有する。ＰＭＯＳトランジスタ（スイッチ）１６は、対応する列６（ｊ）に列ドライバ５の出力（ｊ）６´を相互接続している。ＮＭＯＳトランジスタ（スイッチ）１７は、対応するミラーリング処理された列出力ライン６（ｍ−ｊ）に列ドライバ５の出力ライン（ｊ）６´を相互接続している。ＥＮ＝０と共に、ＰＭＯＳトランジスタは開状態（ＮＭＯＳトランジスタは閉状態）になり、列６，ｊ及び６‘，ｍ−ｊそれぞれに対応する列ドライバ５の出力６’，ｊ及び６‘，ｍ−ｊそれぞれとなる。ＥＮ＝１と共に、ＮＭＯＳトランジスタ（スイッチ）１７は開状態（ＰＭＯＳトランジスタは閉状態）になり、列６，ｍ−ｊ及び６，ｊそれぞれに対応する出力６’，ｊ及び６‘，ｍ−ｊそれぞれとなる。
【実施例２】
【００１７】
図６は、同じタイプのトランジスタを用いて、本発明の機能の第２実施形態を示している。スイッチングユニット（列の上部の一方側）は、対の列毎に４つのＰＭＯＳトランジスタと２つのイネーブルライン１８、１８´を有する。ライン１８高（ライン１）及びライン１８´低（ライン２）を用いて、ＰＭＯＳトランジスタ１６は開状態（ＰＭＯＳトランジスタ１６´は閉状態）となり、列６，ｊ及びｍ−ｊそれぞれに対応する列ドライバ５の出力６’，ｊ及びｍ−ｊそれぞれとなる。ライン１８´高（ライン２）及びライン１８低（ライン１）を用いて、ＰＭＯＳトランジスタ１６´は開状態（ＰＭＯＳトランジスタ１６は閉状態）となり、列６，ｍ−ｊ及びｊそれぞれに対応する出力６’，ｊ及びｍ−ｊそれぞれとなる。等価回路が、アモルファス結晶化シリコン技術において実現されることが可能であるＮＭＯＳトランジスタを用いて実現されることが可能である。
【実施例３】
【００１８】
図７においては、１つの画素の中の２つの副画素を形成することにより同時の前面及び背面表示が実現される。１つの副画素８ａは、前面方向に光１１ａを発光し、他の副画素８ｂは背面方向に光１１ｂを発光する。これらの副画素は、２つの付加スイッチ（例えば、ＮＭＯＳトランジスタ２６とＰＭＯＳトランジスタ２７）により、上記の反転機能をイネーブルにすることにより、同期して動作される。電流は、容量２４と共に電流電源を構成するトランジスタ２２を介して、電圧ライン２３から供給される。その電流電源は、スイッチ（トランジスタ）２５をイネーブルにする選択電極７によりスイッチ（トランジスタ）２５を介して電流電源に通される、データ電極６からのデータ電圧の選択によりイネーブルにされる。
【００１９】
ブラックマトリクス２０とミラー２１とを追加することにより、誤った面への発光を回避する。
【００２０】
本発明の保護の範囲は、上記の実施形態に限定されない。更に、ＬＥＤに関して実施形態において述べているが、本発明は、２面表示（受動アドレシングと能動アドレシングの両方）が可能である、液晶表示装置、エレクトロクロミック表示装置、電気泳動表示装置及び他の表示機構のような他の表示機構を適用することが可能である。
【００２１】
図７及び８に示すように、反転スイッチングを用いる２面表示は又、同時の前面及び背面表示のために用いられることができる。他の表示においては、２面表示は、例えば、各々の面の最上部におけるシャッタ層であって、ミラーリング処理をイネーブルにする機能を用いて同期して動作する、シャッタ層を用いることにより得られる。有効なシャッタは、ＴＮ−ＬＣ（ツイストネマティックＬＣ）、ＦＬＣ（強誘電性ＬＣ）、ＰＤＬＣ（高分子分散ＬＣ）又は色素（溶液ゲル）を用いるゲスト／ホストシステムを用いて作製されることが可能である。
【００２２】
又、スクリーンの全部又は一部を意図的に反転する（表示ピクチャ、特定の効果／分割スクリーン）ことが可能である。上記のように、上記の回路は又、行方向に関してミラーリングをイネーブルにするために用いられることが可能である。
【００２３】
又、ミラーリング回路の実現においては、例えば、バイポーラトランジスタ等の他の技術を用いることのような、多くの他の可能性が存在している。
【００２４】
本発明は、各々の及び全ての新規な特徴並びに各々の及び全ての特徴の組み合わせに備わっている。請求の範囲の参照符号は、請求の範囲の保護範囲を制限するものではない。動詞表現“を有する”及びその活用表現を使用することにより、請求の範囲において記載されている要素以外の要素を排除するものではない。要素の単数表現は、そのような要素の複数の存在を排除するものではない。
【図面の簡単な説明】
【００２５】
【図１】表示装置の電気回路図である。
【図２】本発明を説明するための表示装置の一部の断面図である。
【図３】ミラーリング処理の変換を示す図である。
【図４】ミラーリング処理の変換を示す図である。
【図５】ミラーリング処理の変換を可能にする装置の一部の実施形態を示す図である。
【図６】ミラーリング処理の変換を可能にする装置の一部の実施形態を示す図である。
【図７】本発明を説明するための表示装置の一部の断面図である。
【図８】ミラーリング処理の変換を可能にする装置の一部を示す図である。
【図１】
2005520193.tif 000003
【図２】
2005520193.tif 000004
【図３】
2005520193.tif 000005
【図４】
2005520193.tif 000006
【図５】
2005520193.tif 000007
【図６】
2005520193.tif 000008
【図７】
2005520193.tif 000009
【図８】
2005520193.tif 000010
【国際調査報告】
2005520193.tif 000011
2005520193.tif 000012
2005520193.tif 000013